(57)【要約】【課題】所要動力の低減を図ることができる耕耘爪を提供する。【解決手段】耕耘爪35は、取付基部41、縦刃部42および横刃部43を備える。縦刃部42および横刃部43は、刃縁部分46および峰縁部分47を有する。縦刃縁先端位置ａが最下位置となるように取り付けた状態の側面視で、横峰縁先端位置ｂにおける接線Ｂは、鉛直線Ｃに対して０度よりも大きく６０度以下の傾斜角度αをもって先端側へ傾斜している。【選択図】図２
2018061468.tif 000002
【特許請求の範囲】
【請求項１】
農作業機の回転軸に取り付けられる取付基部と、
この取付基部の先端側の端部に連設された縦刃部と、
この縦刃部の先端側の端部に連設された横刃部とを備え、
前記縦刃部から前記横刃部にかけて反回転方向側に湾曲するとともに、前記横刃部が一方側に湾曲した耕耘爪であって、
前記縦刃部および前記横刃部は、
回転方向前縁部に位置し、回転方向に向かって凸状の湾曲形状をなす刃縁部分と、
回転方向後縁部に位置し、反回転方向に向かって凹状の湾曲形状をなす峰縁部分とを有し、
前記縦刃部における前記刃縁部分の先端であって、立ち上げ線と前記刃縁部分との交点に位置する縦刃縁先端位置が最下位置となるように、前記取付基部が前記回転軸に取り付けられた状態の側面視において、前記横刃部における前記峰縁部分の先端である横峰縁先端位置における接線は、鉛直線に対して０度よりも大きく６０度以下の傾斜角度をもって先端側に向かって傾斜している
ことを特徴とする耕耘爪。
【請求項２】
横刃部は、刃縁部分の先端と峰縁部分の先端とを結ぶ頭縁部分を有する
ことを特徴とする請求項１記載の耕耘爪。
【発明の詳細な説明】
【技術分野】
【０００１】
本発明は、農作業機の回転軸に取り付けて使用する耕耘爪に関するものである。
【背景技術】
【０００２】
従来、例えば下記の特許文献１に記載された耕耘爪が知られている。
【０００３】
この従来の耕耘爪は、回転軸（耕耘軸）に取り付けられる取付基部と、この取付基部に連設された縦刃部と、この縦刃部に連設された横刃部とを備え、前記縦刃部は、その始端から終端にかけて回転方向に対し次第に遠ざかるよう円弧状の排絡刃縁を形成し、前記横刃部は、前記縦刃部から略直角に近い角度で側方に屈曲し、その刃縁を前記縦刃部の刃縁と連続する排絡刃縁とすると共に、横刃部全体に回転方向に対し滑らかに湾曲するすくい面を形成したものである。
【先行技術文献】
【特許文献】
【０００４】
【特許文献１】特開昭６３−１６０５０１号公報
【発明の概要】
【発明が解決しようとする課題】
【０００５】
しかしながら、上記従来の耕耘爪では、耕耘作業時に土を抱き込みやすく、所要動力が増大するという問題がある。
【０００６】
本発明は、このような点に鑑みなされたもので、所要動力の低減を図ることができる耕耘爪を提供することを目的とする。
【課題を解決するための手段】
【０００７】
請求項１記載の耕耘爪は、農作業機の回転軸に取り付けられる取付基部と、この取付基部の先端側の端部に連設された縦刃部と、この縦刃部の先端側の端部に連設された横刃部とを備え、前記縦刃部から前記横刃部にかけて反回転方向側に湾曲するとともに、前記横刃部が一方側に湾曲した耕耘爪であって、前記縦刃部および前記横刃部は、回転方向前縁部に位置し、回転方向に向かって凸状の湾曲形状をなす刃縁部分と、回転方向後縁部に位置し、反回転方向に向かって凹状の湾曲形状をなす峰縁部分とを有し、前記縦刃部における前記刃縁部分の先端であって、立ち上げ線と前記刃縁部分との交点に位置する縦刃縁先端位置が最下位置となるように、前記取付基部が前記回転軸に取り付けられた状態の側面視において、前記横刃部における前記峰縁部分の先端である横峰縁先端位置における接線は、鉛直線に対して０度よりも大きく６０度以下の傾斜角度をもって先端側に向かって傾斜しているものである。
【０００８】
請求項２記載の耕耘爪は、請求項１記載の耕耘爪において、横刃部は、刃縁部分の先端と峰縁部分の先端とを結ぶ頭縁部分を有するものである。
【発明の効果】
【０００９】
本発明によれば、所要動力の低減を図ることができる
【図面の簡単な説明】
【００１０】
【図１】本発明の一実施の形態に係る耕耘爪を備えた農作業機の側面図である。
【図２】同上耕耘爪の側面図である。
【図３】同上耕耘爪の平面図である。
【発明を実施するための形態】
【００１１】
本発明の一実施の形態について図面を参照して説明する。
【００１２】
図１において、１は農作業機で、この農作業機１は、例えば走行車であるトラクタ（図示せず）の後部に連結され、そのトラクタの走行により圃場を前方（進行方向）に移動しながら耕耘整地作業（農作業）を行うロータリー耕耘機である。
【００１３】
農作業機１は、トラクタの後部の３点リンク部に脱着可能に連結される機体２と、この機体２に回転可能に設けられ所定方向（例えばダウンカット方向の回転方向）に回転しながら耕耘作業をする耕耘体（ロータリー）３と、機体２に上下方向に回動可能に設けられ耕耘体３の後方で整地作業する整地体（均平板）４とを備えている。
【００１４】
機体２は、図１に示すように、トラクタの後部の３点リンク部に脱着可能に連結される３点連結部（走行車連結部）11を有している。３点連結部11は、１本のトップマスト12および左右１対で２本のロワーアーム13等にて構成されている。
【００１５】
また、機体２は、前後方向の入力軸16を回転可能に保持する軸保持部であるミッションケース部17を有している。ミッションケース部17の左右両側には左右方向に延びるフレーム部であるフレームパイプ部18の内端部が取り付けられている。なお、入力軸16は、トラクタのＰＴＯ軸にジョイントを介して接続される。
【００１６】
そして、左側のフレームパイプ部18の外端部には、箱状の耕耘体支持部であるチェーンケース部19が取り付けられている。一方、右側のフレームパイプ部18の外端部には、板状の耕耘体支持部であるブラケット部（図示せず）が取り付けられている。これら互いに離間対向するチェーンケース部19およびブラケット部間に耕耘体３が回転可能に架設されている。なお、チェーンケース部19およびブラケット部には、側板部であるサイドカバー板20が固設されている。
【００１７】
さらに、機体２は、耕耘体３の上方部を覆う耕耘カバー部21を有し、この耕耘カバー部21の後端部に整地体４が左右方向の軸を中心として上下方向に回動可能に設けられている。なお、整地体４と機体２との間には、圃場面に対する整地体４の接地圧を調整する接地圧調整手段22が架設されている。また、機体２の前部には、ゲージ輪23が設けられている。
【００１８】
耕耘体３は、図１に示すように、入力軸16側からの動力に基づいて回転する左右方向の回転軸である耕耘軸31を有している。耕耘軸31は、軸本体部32の外周面に突設された板状の複数の爪取付部であるフランジ部33を有し、この各フランジ部33には、耕耘軸31の回転により左右方向の回転中心軸線（回転中心）Ｘを中心として所定の回転方向（図中の矢印方向）に向かって回転しながら耕耘作業をする複数の耕耘爪35が取付手段36によって脱着可能に取り付けられている。なお、取付手段36は、例えばボルトおよびナット等である。
【００１９】
ここで、耕耘体３の耕耘爪35について詳細に説明する。
【００２０】
耕耘爪35は、図２および図３に示すように、回転方向に対して交差する方向に長手方向を有する湾曲板状の金属製の板部材によって構成されている。つまり、この湾曲板状の耕耘爪35は、１枚の金属板のみからなるものであって、長手方向一端側である基端側（耕耘体３の回転中心Ｐ側）から長手方向他端側である先端側（耕耘体３の外周側）に向かって順に連続して位置する３つの部分、すなわち取付基部41、縦刃部42および横刃部43によって構成されている。
【００２１】
換言すると、耕耘爪35は、耕耘軸31のフランジ部33に取付手段36で脱着可能に取り付けられる取付基部41と、この取付基部41の先端側の端部に連設された縦刃部42と、この縦刃部42の先端側の端部に連設された横刃部43とを備えている。
【００２２】
そして、耕耘爪35は、縦刃部42から横刃部43にかけて反回転方向側（回転方向とは反対の反回転方向側）に緩やかに湾曲し、かつ、横刃部43が立ち上げ線Ａを基端として一方側（図２において、図面手前側）に徐々に立ち上がるように湾曲している。なお、表面側である一方側への立ち上げ線Ａは、縦刃部42と横刃部43との境界線となっている。
【００２３】
また、縦刃部42および横刃部43は、回転方向前縁部に位置しかつ回転方向に向かって凸状の湾曲形状をなす刃縁部分46と、この刃縁部分46に対して略等間隔を維持するように回転方向後縁部に位置しかつ反回転方向に向かって凹状の湾曲形状をなす峰縁部分47とを有している。
【００２４】
さらに、横刃部43は、刃縁部分46の先端と峰縁部分47の先端とを結ぶＬ字形状の頭縁部分48を有し、この頭縁部分48は耕耘爪35の先端部に位置している。なお、頭縁部分48は、鉛直線Ｃに沿って位置する鉛直部48aと、水平線Ｄに沿って位置する水平部48bとにて構成されている。
【００２５】
そして、縦刃部42における刃縁部分46の先端であって、立ち上げ線Ａと刃縁部分46との交点に位置する縦刃縁先端位置ａが最下位置となるように、取付基部41が耕耘軸31のフランジ部33に取り付けられた状態の側面視（図２に示す取付状態での側面視）において、横刃部43における峰縁部分47の先端である横峰縁先端位置ｂにおける接線Ｂは、上下方向の鉛直線Ｃに対して０度よりも大きく６０度以下の傾斜角度αをもって先端側（爪先端側、つまり図２では左側）に向かって傾斜している。
【００２６】
この接線Ｂの傾斜角度αは、好ましくは例えば１５度〜５５度の角度であり、具体的には例えば「５５度」である。
【００２７】
また、板状の取付基部41には、複数、例えば２つのボルト用孔50が表裏面に貫通して形成されている。同様に、耕耘軸31のフランジ部33にもボルト用孔が表裏面に貫通して形成されており、これら両ボルト用孔に取付手段36のボルトが挿通されてナットがそのボルトに螺合されることで取付基部41が耕耘軸31のフランジ部33に取り付けられる。
【００２８】
そして、耕耘爪35は、耕耘軸31のフランジ部33に取り付けられた状態で、回転中心Ｐ（回転中心軸線Ｘ）を中心としかつ最大回転半径ｒ（例えば２６０ｍｍ）を回転の最大半径として図中矢印方向へ回転しながら耕耘作業を行う。
【００２９】
なお、図２および図３において、２点鎖線で示す耕耘爪35の形状は、立ち上げ線Ａによる立ち上げ処理前（曲げ変形前）の形状であって、３次元の耕耘爪35を平面上に展開して２次元的に示したものである。
【００３０】
次に、農作業機１の作用等を説明する。
【００３１】
農作業機１をトラクタの後部に連結し、このトラクタの前進走行により農作業機１を前方に移動させると、耕耘体３の各耕耘爪35が回転しながら耕耘作業をし、その後方で整地体４が整地作業をする。
【００３２】
そして、この農作業機１の耕耘爪35によれば、縦刃縁先端位置ａが最下位置となるように取付基部41が耕耘軸31のフランジ部33に取り付けられた状態の側面視において、横峰縁先端位置ｂにおける接線Ｂは、上下方向の鉛直線Ｃに対して０度よりも大きく６０度以下の傾斜角度αをもって先端側（爪先端側）に向かって傾斜しているため、耕耘作業時に土を抱き込みにくく、所要動力の低減を図ることができる。よって、農作業機１によって効率良く作業ができる。
【００３３】
なお、上記一実施の形態では、耕耘爪35の横峰縁先端位置ｂにおける接線Ｂの傾斜角度αが「５５度」である場合について説明したが、例えば図示しないが、縦刃部42および横刃部43を反回転方向側へ急激に湾曲させて、接線Ｂの傾斜角度αを例えば「１５度」としたもの等でもよい。
【００３４】
また、耕耘爪35は、ロータリー耕耘機に限らず、耕耘作業を伴う農作業を行う各種の農作業機に用いることが可能である。
【符号の説明】
【００３５】
１    農作業機
31    回転軸である耕耘軸
35    耕耘爪
41    取付基部
42    縦刃部
43    横刃部
46    刃縁部分
47    峰縁部分
48    頭縁部分
Ａ    立ち上げ線
Ｂ    接線
Ｃ    鉛直線
ａ    縦刃縁先端位置
ｂ    横峰縁先端位置
α    傾斜角度
【図１】
2018061468.tif 000003
【図２】
2018061468.tif 000004
【図３】
2018061468.tif 000005